(57)【要約】      （修正有）【課題】メタル回線の問題やトンネル長大化に適切に対応可能な光回線を用いた耐障害性の高いトンネル非常用設備を提供する。【解決手段】防災受信盤12から常用光回線14-1と予備用光回線14-2が引き出され、中継増幅器20-1,20-2及び終端装置22が接続される。常用光回線14-1には光変換器18を介して火災検知器2５及び消火栓装置24等の設備機器が接続される。防災受信盤12と中継増幅器20-1の間の常用光回線14-1が断線した場合、防災受信盤12は常用光回線14-1に加え予備用光回線14-2により光信号を送受する。断線障害を検出した光中継増幅器20-1は、予備用光回線14-2と常用光回線14-1の上り側及び下り側との間で光信号を迂回中継させ、断線障害が起きても全ての光変換器18との光信号の送受信を維持する。【選択図】図９
2019036180.tif 000002
【特許請求の範囲】
【請求項１】
トンネル方向に配置された所定の設備機器と、
防災受信盤からトンネル内に引き出された常用光回線と、
前記防災受信盤からトンネル内に引き出された予備用光回線と、
前記常用光回線及び予備用光回線の光信号を中継増幅する光中継増幅器と、
前記常用光回線及び予備用光回線の終端に接続された終端装置と、
前記設備機器に対応して設けられ、前記常用光回線に分岐接続されると共に前記設備機器に信号回線により接続され、前記常用光回線から受信した光信号を電気信号に変換して前記設備機器に出力すると共に前記設備機器から入力した電気信号を光信号に変換して前記常用光回線に送信する光変換器と、
を備えたトンネル非常用設備に於いて、
前記光中継増幅器の中継増幅制御部は、
通常時は、前記常用光回線の上り側と下り側の間及び前記予備用光回線の上り側と下り側の間で各々の光信号を中継増幅させ、
前記常用光回線の上り側の断線障害を検出した場合は、前記防災受信盤又は上り側に隣接した他の光中継増幅器に前記予備用光回線を介して断線障害信号を送信して前記予備用光回線により光信号を送受信させると共に、前記予備用光回線の上り側と前記常用光回線の上り側及び下り側との間で光信号を迂回中継させ、
下り側に位置する他の光中継増幅器又は前記終端装置から断線障害信号を受信した場合は、前記常用光回線の上り側と下り側との間で光信号を中継させると共に前記常用光回線の上り側と前記予備用光回線の下り側との間で光信号を迂回中継させ、
前記防災受信盤の盤制御部は、
通常時は前記常用光回線により光信号を送受信させ、
下り側に隣接した前記光中継増幅器から前記断線障害信号を受信した場合は、前記常用光回線に加え、前記予備用光回線により光信号を送受信させ、
前記終端装置の終端制御部は、前記常用光回線の断線障害を検出した場合に、上り側に隣接した前記光中継増幅器に前記予備用光回線を介して断線障害信号を送信して前記予備用光回線により光信号を送受信させると共に、前記予備用光回線と前記常用光回線との間で光信号を迂回中継させる、
ことを特徴とするトンネル非常用設備。
【請求項２】
請求項１記載のトンネル非常用設備に於いて、
前記防災受信盤の盤制御部は、周期的に試験信号を前記常用光回線に送信させ、
前記光中継増幅器の中継増幅制御部および前記終端装置の終端制御部は、前記防災受信盤からの前記試験信号が断たれた場合に前記常用光回線の断線障害を検出することを特徴とするトンネル非常用設備。
【請求項３】
トンネル方向に配置された所定の設備機器と、
防災受信盤からトンネル内に引き出された常用光回線と、
前記防災受信盤からトンネル内に引き出された予備用光回線と、
前記常用光回線及び予備用光回線の光信号を中継増幅する光中継増幅器と、
前記常用光回線及び予備用光回線の終端に接続された終端装置と、
前記設備機器に対応して設けられ、前記常用光回線に分岐接続されると共に前記設備機器に信号回線により接続され、前記常用光回線から受信した光信号を電気信号に変換して前記設備機器に出力すると共に前記設備機器から入力した電気信号を光信号に変換して前記常用光回線に送信する光変換器と、
を備えたトンネル非常用設備に於いて、
前記光中継増幅器の中継増幅制御部は、
通常時は、前記常用光回線の上り側と下り側の間及び前記予備用光回線の上り側と下り側の間で各々の光信号を中継増幅させ、
前記常用光回線の上り側から受信した光信号の強度低下障害を検出した場合は、前記防災受信盤又は上り側に隣接した他の光中継増幅器に前記予備用光回線を介して光強度低下障害信号を送信して前記常用光回線による光信号の送受信を停止させ、前記予備用光回線により光信号を送受信させると共に、前記予備用光回線の上り側と前記常用光回線の上り側及び下り側との間で光信号を迂回中継させ、
下り側に位置する他の光中継増幅器又は前記終端装置から光強度低下障害信号を受信した場合は、前記常用光回線による光信号の送受信を停止させると共に、前記常用光回線の上り側と前記予備用光回線の下り側との間で光信号を迂回中継させ、
前記防災受信盤の盤制御部は、
通常時は前記常用光回線により光信号を送受信させ、
下り側に隣接した前記光中継増幅器から前記光強度低下障害信号を受信した場合は、前記常用光回線による光信号の送受信を停止させ、前記予備用光回線により光信号を送受信させ、
前記終端装置の終端制御部は、前記常用光回線から受信した光信号の強度低下障害を検出した場合に、上り側に隣接した前記光中継増幅器に前記予備用光回線を介して光強度低下障害信号を送信して前記常用光回線による光信号を送受信を停止させると共に、前記予備用光回線と前記常用光回線との間で光信号を迂回中継させる、
ことを特徴とするトンネル非常用設備。
【請求項４】
請求項３記載のトンネル非常用設備に於いて、
前記防災受信盤の盤制御部は、周期的に試験信号を前記常用光回線に送信させ、
前記光中継増幅器の中継増幅制御部および前記終端装置の終端制御部は、前記試験信号の受信レベルが所定の閾値以下に低下した場合に光信号の光強度低下障害を検出することを特徴とするトンネル非常用設備。
【請求項５】
請求項１記載のトンネル非常用設備に於いて、
前記防災受信盤の盤制御部は、周期的に断線監視用の試験信号を前記常用光回線に送信させ、
前記光中継増幅器の中継増幅制御部は、前記常用光回線の上り側から前記試験信号を受信した場合に前記常用光回線の下り側に前記試験信号を中継し、前記予備用光回線の下り側から前記試験信号を受信した場合に前記予備用光回線の上り側に前記試験信号を中継し、
前記終端装置の終端制御部は、前記常用光回線から前記試験信号を受信した場合に前記予備用光回線に前記試験信号を送信することを特徴とするトンネル非常用設備。
【請求項６】
請求項１記載のトンネル非常用設備に於いて、
前記防災受信盤の盤制御部は、周期的に断線監視用の試験信号を前記常用光回線に送信させ、
前記光中継増幅器の中継増幅制御部は、前記常用光回線の上り側から前記試験信号を受信した場合に、前記常用光回線の下り側に前記試験信号を中継すると共に前記予備用光回線の上り側に前記試験信号を折り返して中継し、
前記終端装置の終端制御部は、前記常用光回線の上り側から前記試験信号を受信した場合に、前記予備用光回線の上り側に前記試験信号を折り返して中継することを特徴とするトンネル非常用設備。
【請求項７】
請求項５又は６記載のトンネル非常用設備に於いて、
前記防災受信盤の盤制御部は、前記常用光回線に対する前記試験信号の送信から所定の待ち時間以内に前記予備用光回線から前記試験信号の受信がない場合に前記予備用光回線の断線を判断し、下り側に隣接した前記光中継増幅器に前記常用光回線を経由した前記試験信号の送信を指示すると共に、下り側に隣接した前記光中継増幅器との間の前記予備用光回線の断線を報知させることを特徴とするトンネル非常用設備。
【請求項８】
請求項５又は６記載のトンネル非常用設備に於いて、
前記光中継増幅器の中継増幅制御部は、前記常用光回線の下り側に対する前記試験信号の送信から所定の待ち時間以内に前記予備用光回線の下り側から前記試験信号の受信がない場合に下り側の前記予備用光回線の断線を判断し、下り側に隣接した他の光中継増幅器又は下り側に隣接した前記終端装置に前記常用光回線を経由した前記試験信号の送信を指示すると共に、上り側の前記防災受信盤に前記予備用光回線を経由して、下り側に隣接した前記光中継増幅器との間の予備用光回線の断線又は下り側に隣接した前記終端装置との間の予備用光回線の断線を示す断線障害信号を送信して報知させることを特徴とするトンネル非常用設備。
【請求項９】
請求項７又は８記載のトンネル非常用設備に於いて、
前記待ち時間は、前記終端装置から前記防災受信盤に向けて順次長い時間となるように設定されたことを特徴とするトンネル非常用設備。
【発明の詳細な説明】
【技術分野】
【０００１】
本発明は、トンネル内に設置した火災検出器や消火栓装置等の設備機器を監視センターの防災受信盤に光回線により接続してトンネル内の異常を監視するトンネル非常用設備に関する。
【背景技術】
【０００２】
従来、自動車専用道路等のトンネルには、トンネル内で発生する火災事故から人身及び車両を守るため、非常用設備が設置されている。
【０００３】
このような非常用設備としては、火災の監視と通報のため火災検知器、手動通報装置、非常電話が設けられ、また火災の消火や延焼防止のために消火栓装置が設けられ、更にトンネル躯体を火災から防護するために水噴霧ヘッドから消火用水を散水させる水噴霧などが設置され、非常用設備の設備機器を監視センターに設けられた防災受信盤からの伝送回線に接続して監視制御することでトンネル非常用設備を構築している。
【０００４】
防災受信盤と設備機器で構成するトンネル非常用設備は、Ｒ型伝送方式とＰ型直送方式に大別される。Ｒ型伝送方式は、防災受信盤から引き出された信号線ケーブルによる伝送回線にアドレスを設定した火災検知器等の設備機器を接続し、伝送制御により設備機器単位に検知と制御を行う個別管理を可能とする、Ｐ型直送方式は、設備機器の種別に応じて所定の区画単位に分け、区画単位に引き出した信号回線に同一区画に属する複数の設備機器を接続し、信号回線単位に検知と制御を行う。
【０００５】
Ｒ型伝送方式のトンネル非常用設備は、設備機器による検知や制御が個別にできるため、機能及び管理面で様々な利点があるが、一般的に火災検出器等の設備機器に伝送制御機能を設け、また伝送距離が長くなる場合には中継増幅盤を設ける必要があることから高価になる。
【０００６】
一方、Ｐ型直送方式のトンネル非常用設備は、火災検出器に伝送制御機能を設ける必要がなく、また、伝送距離が長くなっても中継増幅盤を設ける必要がないことから、Ｒ型伝送方式と比較してシステム構成が簡単で安価であるが、設備機器単位に検知と制御を行う個別管理ができないことに加え、火災検出器、手動通報装置等の設備機器の種別と設備機器の区画に分けて専用の信号回線を引き出して設備機器を接続することから、配線数が多くなり、トンネル長が長い場合には、かえってシステムの構成コストが高くなる場合がある。
【０００７】
トンネル非常用設備としては、Ｒ型伝送方式とＰ型直送方式のメリットとデメリット、トンネル長や車両の交通量等を考慮して、Ｒ型伝送方式又はＰ型直送方式のトンネル非常用設備を構築するようにしている。
【先行技術文献】
【特許文献】
【０００８】
【特許文献１】特開２００２−２４６９６２号公報
【特許文献２】特開平１１−１２８３８１号公報
【発明の概要】
【発明が解決しようとする課題】
【０００９】
ところで、近年のトンネル非常用設備にあっては、防災受信盤から信号線ケーブルを引き出したメタル伝送回線に設備機器を接続しており、メタル伝送回線は電気的なノイズの影響を受けやすく、また、伝送距離が長くなると信号減衰が大きくなることから所定距離毎に中継増幅盤を設置しており、更に、使用期間が長期化すると絶縁劣化等により電気的特性が低下して通信障害を起こす可能性がある。更に、近年にあっては、トンネル長が１０キロメートルを超えるといった長大化の傾向にあり、メタル伝送回線での対応が難しい状況にある。
【００１０】
このような問題を解決するため、トンネル非常用設備の伝送回線として光ファイバーケーブルを使用した光回線とすることが考えられるが、トンネル非常用設備に光回線を使用した例がなく、光回線を利用したトンネル非常用設備の構築が新たな課題として生じている。
【００１１】
また、トンネル非常用設備に光回線を用いた場合には、光回線の断線や光信号の強度低下などの障害が発生した場合に、防災受信盤と端末側との通信接続を維持する確実なリカバリー対応が必要となる。
【００１２】
本発明は、メタル回線の問題やトンネル長大化に適切に対応可能な光回線を用いた耐障害性の高いトンネル非常用設備を提供することを目的とする。
【課題を解決するための手段】
【００１３】
（トンネル非常用設備の断線障害対応）
本発明は、
トンネル方向に配置された所定の設備機器と、
防災受信盤からトンネル内に引き出された常用光回線と、
防災受信盤からトンネル内に引き出された予備用光回線と、
常用光回線及び予備用光回線の光信号を中継増幅する光中継増幅器と、
常用光回線及び予備用光回線の終端に接続された終端装置と、
設備機器に対応して設けられ、常用光回線に分岐接続されると共に設備機器に信号回線により接続され、常用光回線から受信した光信号を電気信号に変換して設備機器に出力すると共に設備機器から入力した電気信号を光信号に変換して常用光回線に送信する光変換器と、
を備えたトンネル非常用設備に於いて、
光中継増幅器の中継増幅制御部は、
通常時は、常用光回線の上り側と下り側の間及び予備用光回線の上り側と下り側の間で各々の光信号を中継増幅させ、
常用光回線の上り側の断線障害を検出した場合は、防災受信盤又は上り側に隣接した他の光中継増幅器に予備用光回線を介して断線障害信号を送信して予備用光回線により光信号を送受信させると共に、予備用光回線の上り側と常用光回線の上り側及び下り側との間で光信号を迂回中継させ、
下り側に位置する他の光中継増幅器又は終端装置から断線障害信号を受信した場合は、常用光回線の上り側と下り側との間で光信号を中継させると共に常用光回線の上り側と予備用光回線の下り側との間で光信号を迂回中継させ、
防災受信盤の盤制御部は、
通常時は常用光回線により光信号を送受信させ、
下り側に隣接した光中継増幅器から断線障害信号を受信した場合は、常用光回線に加え、予備用光回線により光信号を送受信させ、
終端装置の終端制御部は、常用光回線の断線障害を検出した場合に、上り側に隣接した光中継増幅器に予備用光回線を介して断線障害信号を送信して予備用光回線により光信号を送受信させると共に、予備用光回線と常用光回線との間で光信号を迂回中継させる、
ことを特徴とする。
【００１４】
ここで、上り側とは、防災受信盤に近い側を意味し、下り側とは終端装置に近い側を意味する。
【００１５】
（試験信号による断線障害の監視）
防災受信盤の盤制御部は、周期的に試験信号を常用光回線に送信させ、
光中継増幅器の中継増幅制御部および終端装置の終端制御部は、防災受信盤からの試験信号が断たれた場合に常用光回線の断線障害を検出する。
【００１６】
（トンネル非常用設備の光強度低下障害の対応）
本発明の別の形態にあっては、
トンネル方向に配置された所定の設備機器と、
防災受信盤からトンネル内に引き出された常用光回線と、
防災受信盤からトンネル内に引き出された予備用光回線と、
常用光回線及び予備用光回線の光信号を中継増幅する光中継増幅器と、
常用光回線及び予備用光回線の終端に接続された終端装置と、
設備機器に対応して設けられ、常用光回線に分岐接続されると共に設備機器に信号回線により接続され、常用光回線から受信した光信号を電気信号に変換して設備機器に出力すると共に設備機器から入力した電気信号を光信号に変換して常用光回線に送信する光変換器と、
を備えたトンネル非常用設備に於いて、
光中継増幅器の中継増幅制御部は、
通常時は、常用光回線の上り側と下り側の間及び予備用光回線の上り側と下り側の間で各々の光信号を中継増幅させ、
常用光回線の上り側から受信した光信号の強度低下障害を検出した場合は、防災受信盤又は上り側に隣接した他の光中継増幅器に予備用光回線を介して光強度低下障害信号を送信して常用光回線による光信号の送受信を停止させて予備用光回線により光信号を送受信させると共に、予備用光回線の上り側と常用光回線の上り側及び下り側との間で光信号を迂回中継させ、
下り側に位置する他の光中継増幅器又は終端装置から光強度低下障害信号を受信した場合は、常用光回線による光信号の送受信を停止させると共に常用光回線の上り側と予備用光回線の下り側との間で光信号を迂回中継させ、
防災受信盤の盤制御部は、
通常時は常用光回線により光信号を送受信させ、
下り側に隣接した光中継増幅器から光強度低下障害信号を受信した場合は、常用光回線による光信号の送受信を停止させて、予備用光回線により光信号を送受信させ、
終端装置の終端制御部は、常用光回線から受信した光信号の強度低下障害を検出した場合に、上り側に隣接した光中継増幅器に予備用光回線を介して光強度低下障害信号を送信して常用光回線による光信号を送受信を停止させると共に、予備用光回線と常用光回線との間で光信号を迂回中継させる、
ことを特徴とする。
【００１７】
（試験信号による光強度低下障害の監視）
防災受信盤の盤制御部は、周期的に試験信号を常用光回線に送信させ、
光中継増幅器の中継増幅制御部および終端装置の終端制御部は、試験信号の受信レベルが所定の閾値以下に低下した場合に光信号の光強度低下障害を検出する。
【００１８】
（試験信号の巡回による予備用光回線の断線監視）
防災受信盤の盤制御部は、周期的に断線監視用の試験信号を常用光回線に送信させ、
光中継増幅器の中継増幅制御部は、常用光回線の上り側から試験信号を受信した場合に常用光回線の下り側に試験信号を中継し、予備用光回線の下り側から試験信号を受信した場合に予備用光回線の上り側に試験信号を中継し、
終端装置の終端制御部は、常用光回線から試験信号を受信した場合に予備用光回線に試験信号を送信する。
【００１９】
（試験信号の折り返しによる予備用光回線の断線監視）
防災受信盤の盤制御部は、周期的に断線監視用の試験信号を常用光回線に送信させ、
光中継増幅器の中継増幅制御部は、常用光回線の上り側から試験信号を受信した場合に、常用光回線の下り側に試験信号を中継すると共に予備用光回線の上り側に試験信号を折り返して中継し、
終端装置の終端制御部は、常用光回線の上り側から試験信号を受信した場合に、予備用光回線の上り側に試験信号を折り返して中継する。
【００２０】
（防災受信盤による予備用光回線の断線判断）
防災受信盤の盤制御部は、常用光回線に対する試験信号の送信から所定の待ち時間以内に予備用光回線から試験信号の受信がない場合に予備用光回線の断線を判断し、下り側に隣接した光中継増幅器に常用光回線を経由した試験信号の送信を指示すると共に、下り側に隣接した光中継増幅器との間の予備用光回線の断線を報知させる。
【００２１】
（光中継増幅器による予備用光回線の断線判断）
光中継増幅器の中継増幅制御部は、常用光回線の下り側に対する試験信号の送信から所定の待ち時間以内に予備用光回線の下り側から試験信号の受信がない場合に下り側の予備用光回線の断線を判断し、下り側に隣接した他の光中継増幅器又は下り側に隣接した終端装置に常用光回線を経由した試験信号の送信を指示すると共に、上り側の防災受信盤に予備用光回線を経由して、下り側に隣接した光中継増幅器との間の予備用光回線の断線又は下り側に隣接した終端装置との間の予備用光回線の断線を示す断線障害信号を送信して報知させる。
【００２２】
（防災受信盤と光中継増幅器の待ち時間）
予備用光回線の断線を判断する待ち時間は、終端装置から防災受信盤に向けて順次長い時間となるように設定される。
【発明の効果】
【００２３】
（トンネル非常用設備の断線障害対応による効果）
本発明は、トンネル方向に配置された所定の設備機器と、防災受信盤からトンネル内に引き出された常用光回線と、防災受信盤からトンネル内に引き出された予備用光回線と、常用光回線及び予備用光回線の光信号を中継増幅する光中継増幅器と、常用光回線及び予備用光回線の終端に接続された終端装置と、設備機器に対応して設けられ、常用光回線に分岐接続されると共に設備機器に信号回線により接続され、常用光回線から受信した光信号を電気信号に変換して設備機器に出力すると共に設備機器から入力した電気信号を光信号に変換して常用光回線に送信する光変換器とを備えたトンネル非常用設備に於いて、光中継増幅器の中継増幅制御部は、通常時は、常用光回線の上り側と下り側の間及び予備用光回線の上り側と下り側の間で各々の光信号を中継増幅させ、常用光回線の上り側の断線障害を検出した場合は、防災受信盤又は上り側に隣接した他の光中継増幅器に予備用光回線を介して断線障害信号を送信して予備用光回線により光信号を送受信させると共に、予備用光回線の上り側と常用光回線の上り側及び下り側との間で光信号を迂回中継させ、下り側に位置する他の光中継増幅器又は終端装置から断線障害信号を受信した場合は、常用光回線の上り側と下り側との間で光信号を中継させると共に常用光回線の上り側と予備用光回線の下り側との間で光信号を迂回中継させると共に、防災受信盤の盤制御部は、通常時は常用光回線により光信号を送受信させ、下り側に隣接した光中継増幅器から断線障害信号を受信した場合は、常用光回線に加え、予備用光回線により光信号を送受信させ、終端装置の終端制御部は、常用光回線の断線障害を検出した場合に、上り側に隣接した光中継増幅器に断線障害信号を送信して予備用光回線により光信号を送受信させると共に、予備用光回線と常用光回線との間で光信号を迂回中継させるようにしたため、例えば防災受信盤と光中継用増幅器の間で常用光回線が断線した場合、断線箇所の下り側に位置した光中継増幅器で断線障害が検出され、防災受信盤に予備用光回線を介して断線障害信号を送信することで、防災受信盤は常用光回線に加え予備用光回線に光信号を送受信し、断線障害を検出した光中継増幅器は、予備用光回線と常用光回線との間で光信号を迂回中継し、このため断線箇所の下り側に接続されている光変換器は光中継増幅器からの迂回中継により予備用光回線から常用光回線に折り返された光信号を送受信することとなり、常用光回線に断線障害が起きても、防災受信盤と常用光回線に接続されている全ての光変換器との間で光信号の送受信を継続して行うことを可能とする。
【００２４】
このような常用光回線の断線障害は、光中継増幅器のあいだ、または、光中継増幅器と終端装置との間で起きた場合にも、断線障害を検出した光中継増幅器または終端装置からの迂回中継により、断線箇所の下り側に接続されている光変換器は、予備用光回線から常用光回線に折り返された光信号を送受信することとなり、常用光回線に断線障害が起きても、常用光回線に接続されている全ての光変換器との間で光信号の送受信を継続して行うことを可能とする。
【００２５】
（試験信号による断線障害の監視による効果）
また、防災受信盤の盤制御部は、周期的に試験信号を常用光回線に送信させ、光中継増幅器の中継増幅制御部および終端装置の終端制御部は、防災受信盤からの試験信号が断たれた場合に常用光回線の断線障害を検出するようにしたため、通常時に使用している常用光回線の状態が常時監視されており、断線等の回線障害が発生した場合は、断線箇所の下り側に位置する光中継増幅器または終端装置で断線障害を検出し、光回線の断線障害に対し確実にリカバリーが行われ、耐障害性が向上し、通信の信頼性が確保される。
【００２６】
（トンネル非常用設備の光強度低下障害の対応による効果）
また、本発明の別の形態にあっては、トンネル方向に配置された所定の設備機器と、防災受信盤からトンネル内に引き出された常用光回線と、防災受信盤からトンネル内に引き出された予備用光回線と、常用光回線及び予備用光回線の光信号を中継増幅する光中継増幅器と、常用光回線及び予備用光回線の終端に接続された終端装置と、設備機器に対応して設けられ、常用光回線に分岐接続されると共に設備機器に信号回線により接続され、常用光回線から受信した光信号を電気信号に変換して設備機器に出力すると共に設備機器から入力した電気信号を光信号に変換して常用光回線に送信する光変換器とを備えたトンネル非常用設備に於いて、光中継増幅器の中継増幅制御部は、通常時は、常用光回線の上り側と下り側の間及び予備用光回線の上り側と下り側の間で各々の光信号を中継増幅させ、常用光回線の上り側から受信した光信号の強度低下障害を検出した場合は、防災受信盤又は上り側に隣接した他の光中継増幅器に予備用光回線を介して光強度低下障害信号を送信して常用光回線による光信号の送受信を停止させて、予備用光回線により光信号を送受信させると共に、予備用光回線の上り側と常用光回線の上り側及び下り側との間で光信号を迂回中継させ、下り側に位置する他の光中継増幅器又は終端装置から光強度低下障害信号を受信した場合は、常用光回線による光信号の送受信を停止させると共に常用光回線の上り側と予備用光回線の下り側との間で光信号を迂回中継させ、防災受信盤の盤制御部は、通常時は常用光回線により光信号を送受信させ、下り側に隣接した光中継増幅器から光強度低下障害信号を受信した場合は、常用光回線による光信号の送受信を停止させて、予備用光回線により光信号を送受信させ、終端装置の終端制御部は、常用光回線から受信した光信号の強度低下障害を検出した場合に、上り側に隣接した光中継増幅器に予備用光回線を介して光強度低下障害信号を送信して常用光回線による光信号を送受信を停止させると共に、予備用光回線と常用光回線との間で光信号を迂回中継させるようにしたため、例えば防災受信盤における常用光回線の光コネクタなどの接続不良により、防災受信盤に隣接して接続された光中継増幅器で光信号のレベルが低下する強度低下障害が検出されると、常用光回線に対する防災受信盤からの光信号の送受信が停止され、これに代えて予備用光回線に対する光信号の送受信に切り替えられ、光強度低下障害を検出した光中継増幅器が予備用光回線から常用光回線の上り側および下り側に光信号を迂回中継し、このため光コネクタの接続不良箇所などの下り側に接続されている光変換器は光中継増幅器の迂回中継により予備用光回線から常用光回線に折り返された光信号を送受信することとなり、常用光回線に光強度低下障害が起きても、常用光回線に接続されている全ての光変換器との間で光信号の送受信を継続して行うことを可能とする。
【００２７】
また、光コネクタの接続不良などを起こした防災受信盤から常用光回線に対する光信号の送受信が停止されるため、光中継増幅器により予備用光回線から迂回中継された光信号との衝突が起きることはない。
【００２８】
（試験信号による光強度低下障害の監視による効果）
また、防災受信盤の盤制御部は、周期的に試験信号を前記常用光回線に送信させ、光中継増幅器の中継増幅制御部および終端装置の終端制御部は、試験信号の受信レベルが所定の閾値以下に低下した場合に光信号の光強度低下障害を検出するようにしたため、通常時に使用している常用光回線の光信号の強度低下が常時監視されており、光信号の強度低下障害が発生した場合は、障害箇所の下り側に位置する光中継増幅器または終端装置で光強度低下障害を検出し、光強度低下障害に対し確実にリカバリーが行われ、耐障害性が向上し、通信の信頼性が確保される。
【００２９】
（試験信号の巡回による予備用光回線の断線監視による効果）
また、防災受信盤の盤制御部は、周期的に断線監視用の試験信号を常用光回線に送信させ、光中継増幅器の中継増幅制御部は、常用光回線の上り側から試験信号を受信した場合に常用光回線の下り側に試験信号を中継し、予備用光回線の下り側から前験信号を受信した場合に予備用光回線の上り側に試験信号を中継し、終端装置の終端制御部は、常用光回線から試験信号を受信した場合に予備用光回線に試験信号を送信するようにしため、試験信号は、防災受信盤から常用光回線により光中継増幅器を経由して終端装置に送られ、終端装置から予備用光回線により再び光中継増幅器を経由して防災受信盤に送られることで、常用光回線と予備用光回線の間を巡回しており、巡回している試験信号が断たれることで、常用光回線の断線に加え、予備用光回線の断線が確実に判断できる。
【００３０】
（試験信号の折り返しによる予備用光回線の断線監視による効果）
また、防災受信盤の盤制御部は、周期的に断線監視用の試験信号を常用光回線に送信させ、光中継増幅器の中継増幅制御部は、常用光回線の上り側から試験信号を受信した場合に、常用光回線の下り側に試験信号を中継すると共に予備用光回線の上り側に試験信号を折り返して中継し、終端装置の終端制御部は、常用光回線の上り側から試験信号を受信した場合に、予備用光回線の上り側に試験信号を折り返して中継するようにしたため、光中継増幅器単位及び終端装置単位に、試験信号が常用光回線と予備用光回線の間を巡回しており、巡回している試験信号が断たれることで、常用光回線の断線に加え、予備用光回線の断線が確実に判断できる。
【００３１】
（防災受信盤による予備用光回線断線判断の効果）
防災受信盤の盤制御部は、常用光回線に対する試験信号の送信から所定の待ち時間以内に予備用光回線から試験信号の受信がない場合に予備用光回線の断線を判断し、下り側に隣接した光中継増幅器に常用光回線を経由した試験信号の送信を指示すると共に、下り側に隣接した光中継増幅器との間の予備用光回線の断線を報知させるようにしたため、予備用光回線に断線障害が発生した場合、断線箇所の上り側に位置する防災受信盤が断線箇所の下り側に位置する他の光中継増幅器に常用光回線を経由した試験信号の送信を指示することで、断線した予備用光回線を迂回した試験信号の巡回が継続されることで断線監視が継続され、同時に、防災受信盤自身で予備用光回線の断線箇所を判断することで、予備用光回線の断線を報知して断線した予備用光回線を修復させる対処を可能とする。
【００３２】
（光中継増幅器による予備用光回線断線判断の効果）
また、光中継増幅器の中継増幅制御部は、常用光回線の下り側に対する試験信号の送信から所定の待ち時間以内に予備用光回線の下り側から試験信号の受信がない場合に下り側の予備用光回線の断線を判断し、下り側に隣接した他の光中継増幅器又は下り側に隣接した終端装置に常用光回線を経由した試験信号の送信を指示すると共に、上り側の防災受信盤に予備用光回線を経由して、下り側に隣接した光中継増幅器との間の予備用光回線の断線又は下り側に隣接した終端装置との間の予備用光回線の断線を示す断線障害信号を送信して報知させ、防災受信盤の盤制御部は、常用光回線に対する試験信号の送信から所定の待ち時間以内に予備用光回線から試験信号の受信がない場合に予備用光回線の断線を判断し、下り側に隣接した光中継増幅器に常用光回線を経由した試験信号の送信を指示すると共に、下り側に隣接した光中継増幅器との間の予備用光回線の断線を報知させるようにしたため、予備用光回線に断線障害が発生した場合、断線箇所の上り側に位置する光中継増幅器が断線箇所の下り側に位置する他の光中継増幅器又は終端装置に常用光回線を経由した試験信号の送信を指示することで、断線した予備用光回線を迂回した試験信号の巡回が継続されることで断線監視が継続され、同時に、予備用光回線の断線位置を示す断線障害信号が防災受信盤に送られることで、予備用光回線の断線を報知して断線した予備用光回線を修復させる対処を可能とする。
【００３３】
（待ち時間による効果）
また、予備用光回線の断線を判断する待ち時間は、終端装置から防災受信盤に向けて順次長い時間となるように設定されたため、例えば終端装置に対する予備用光回線が断線した場合、断線箇所の上り側に位置する光中継増幅器の待ち時間が短く、防災受信盤に近づくほど待ち時間が長くなるため、断線箇所の上り側に位置する光中継増幅器において、試験信号の送信からの経過時間が所定の待ち時間に最初に達し、常用光回線の断線が判断されて予備用光回線の断線箇所を迂回した常用光回線による試験信号の上り送信が行われ、このため上り側に位置する他の光中継増幅器や防災受信盤は、試験信号の送信からの経過時間が設定されている待ち時間に到達する前に、再び予備用光回線から試験信号が受信され、予備用光回線の断線に対し上り側に位置する複数の光中継増幅器及び防災受信盤で断線が重複して判断される不具合を防止できる。
【図面の簡単な説明】
【００３４】
【図１】光回線を用いたトンネル非常用設備の概要を示した説明図
【図２】図１に設けられた防災受信盤と設備機器の実施形態を機能構成により示したブロック図
【図３】図２に設けられた制御器の実施形態を機能構成により示したブロック図
【図４】図２に設けられた光中継増幅器の実施形態を機能構成により示したブロック図
【図５】図２に設けられた終端装置の実施形態を機能構成により示したブロック図
【図６】通常状態における光信号の送受信を示した説明図
【図７】図６の通常状態における光中継増幅器のノーマルモードの動作を示したブロック図
【図８】図６の通常状態における終端装置のノーマルモードの動作を示したブロック図
【図９】防災受信盤と光中継増幅器の間の常用光回線で断線障害が起きた場合の光信号の送受信を示した説明図
【図１０】図９の断線障害に対し迂回中継を行う光中継増幅器の迂回モードの動作を示したブロック図
【図１１】光中継増幅器の間の常用光回線で断線障害が起きた場合の光信号の送受信を示した説明図
【図１２】光中継増幅器と終端装置の間の常用光回線で断線障害が起きた場合の光信号の送受信を示した説明図
【図１３】防災受信盤に隣接した光中継増幅器で光強度低下障害が検出された場合の光信号の送受信を示した説明図
【図１４】光中継増幅器に隣接した光中継増幅器で光強度低下障害が検出された場合の光信号の送受信を示した説明図
【図１５】図６の光強度低下障害による光中継増幅器のシングルパスモードの動作を示したブロック図
【図１６】光中継増幅器に隣接した終端装置で光強度低下障害が検出された場合の光信号の送受信を示した説明図
【図１７】常用光回線から予備用光回線に試験信号を巡回させる断線監視において、光中継増幅器の間の予備用光回線が断線した場合の試験信号の迂回送信を示した説明図
【図１８】常用光回線から予備用光回線に試験信号を巡回させる断線監視において、光中継増幅器と終端装置の間の予備用光回線が断線した場合の試験信号の迂回送信を示した説明図
【図１９】常用光回線から予備用光回線に試験信号を巡回させる断線監視において、防災受信盤と光中継増幅器の間の予備用光回線が断線した場合の試験信号の迂回送信を示した説明図
【図２０】光中継増幅器単位及び終端装置単位に常用光回線から予備用光回線に試験信号を巡回させる断線監視において、光中継増幅器の間の予備用光回線が断線した場合の試験信号の迂回送信を示した説明図
【発明を実施するための形態】
【００３５】
［トンネル非常用設備の概要］
図１は光回線を用いたトンネル非常用設備の概要を示した説明図である。図１に示すように、トンネル１０の内部には、トンネル長手方向に、火災による炎を検知するため火災検知器２５が５０メートル間隔で設置され、また、火災の消火や延焼防止のためにノズル付きホースを収納した消火栓装置２４が５０メートル間隔で設置されている。
【００３６】
また、トンネル１０内には、火災検知器２５及び消火栓装置２４以外の設備機器として、火災通報のために手動通報装置や非常電話が設けられ、更にトンネル躯体やダクト内を火災から防護するために水噴霧ヘッドから消火用水を散水させる水噴霧などが設置されるが、図示を省略している。
【００３７】
一方、監視センター等には防災受信盤１２が設置されており、防災受信盤１２からはトンネル１０に対し常用光回線１４−１と予備用光回線１４−２が引き出され、常用光回線１４−１にはトンネル１０内に設置された火災検知器２５や消火栓装置２４の設備機器やそれ以外の非常設備の機器が光変換器１８を介して接続されている。
【００３８】
また、常用光回線１４−１及び予備用光回線１４−２の途中には、所定の伝送距離毎に光中継増幅器２０が接続されて光信号を中継増幅している。更に、常用光回線１４−１及び予備用光回線１４−２の終端には終端装置２２が接続されている。
【００３９】
常用光回線１４−１及び予備用光回線１４−２にはＦＴＴＨ等の光ファイバーケーブルが使用され、例えばＩＰパケット等を用いた光波長多重通信（ＷＤＭ）が行われる。
【００４０】
また、防災受信盤１２からはトンネル内に電源線１６が引き出され、トンネル内に設置された光変換器１８、光中継増幅器２０、終端装置２２、火災検知器２５及び消火栓装置２４に設けられた設備機器に対し電源を供給している。
【００４１】
また、防災受信盤１２に対しては、消火ポンプ設備２６、ダクト用の冷却ポンプ設備２７、換気設備２８、警報表示板設備２９、ラジオ再放送設備３０、テレビ監視設備３１、照明設備３２及びＩＧ子局設備３３等を設けており、ＩＧ子局設備３３をデータ伝送回線で接続する点を除き、それ以外の設備はＰ型信号回線により防災受信盤１２に個別に接続されている。
【００４２】
ここで、換気設備２８は、トンネル内の天井側に設置されているジェットファンの運転による高い吹き出し風速によってトンネル内の空気にエネルギーを与えて、トンネル長手方向に換気の流れを起こす設備である。
【００４３】
警報表示板設備２９は、トンネル内の利用者に対して、トンネル内の異常を、電光表示板に表示して知らせる設備である。ラジオ再放送設備３０は、トンネル内で運転者等が道路管理者からの情報を受信できるようにするための設備である。テレビ監視設備３１は、火災の規模や位置を確認したり、水噴霧設備の作動、避難誘導を行う場合のトンネル内の状況を把握するための設備である。
【００４４】
照明設備３２はトンネル内の照明機器を駆動して管理する設備である。更に、ＩＧ子局設備３３は、防災受信盤１２と外部に設けた上位設備である遠方監視制御設備３５とをネットワーク３４を経由して結ぶ通信設備である。
【００４５】
［設備の機能構成］
図２は図１に設けられた防災受信盤と設備機器の実施形態を機能構成により示したブロック図である。
【００４６】
（防災受信盤）
図２に示すように、防災受信盤１２は盤制御部４６を備え、盤制御部４６は例えばプログラムの実行により実現される機能であり、ハードウェアとしてはＣＰＵ、メモリ、各種の入出力ポート等を備えたコンピュータ回路等を使用する。
【００４７】
盤制御部４６に対しては、２系統の伝送部４８と光送受信部５０が設けられ、一方の光送受信部５０からトンネル内に常用光回線１４−１が引き出され、他方の光送受信部５０からトンネル内に予備用光回線１４−２が引き出され、光分配器１５を介して例えば火災検知器２５と消火栓装置２４に対応して設けられた光変換器１８が分岐された光回線に接続されている。
【００４８】
なお、盤制御部４６に対する２系統の伝送部４８と光送受信部５０は、必要に応じて複数セットであっても良い。例えば、防災受信盤１２で上りトンネルと下りトンネルの防災設備を監視する場合には、盤制御部４６に対する２系統の伝送部４８と光送受信部５０は少なくとも２セット設けられる。
【００４９】
盤制御部４６に対しては、液晶ディスプレイ、プリンタ等を備えた表示部５２、各種スイッチ等を備えた操作部５４、スピーカ、警報表示灯等を備えた警報部５６、外部監視設備と通信するＩＧ子局設備４０を接続するモデム５８が設けられ、更に、図１に示した消火ポンプ設備２６、冷却ポンプ設備２７、換気設備２８、警報表示板設備２９、ラジオ再放送設備３０、テレビ監視設備３１及び照明設備３２が接続されたＩＯ部６０が設けられている。
【００５０】
伝送部４８は所定のシリアル通信プロトコルに従ってパケット信号（電気信号）を送受信する。
【００５１】
光送受信部５０は、伝送部４８からのパケット信号を所定の下り波長帯域の光信号に変換して光回線に送信し、また、光回線から受信した所定の上り波長帯域の光信号をパケット信号（電気信号）に変換して伝送部に出力する。
【００５２】
例えば、光送受信部５０は、電気信号を光信号に変換するレーザーダイオードを備えた電気／光変換器（Ｅ／Ｏ変換器）と、光信号を電気信号に変換するフォトダイオードを備えた光／電気変換器（Ｏ／Ｅ変換器）と、光回線からの上り波長帯域の光信号を分離すると共に光回線に下り波長帯域の光信号を合成して送り込むＷＤＭフィルタとを備える。
【００５３】
本実施形態にあっては、伝送部４８と光送受信部５０により、波長間隔の広い光波長多重通信として知られた例えばＣＷＤＭ（コアースＷＤＭ）伝送を行うことで、１０キロメートルを超えるトンネル長であっても、適切に対応できる。
【００５４】
盤制御部４６は、常用光回線１４−１に対応した伝送部４８に指示し、光伝送部５０を介してトンネル内に設置された設備機器との間でパケット信号を送受信する制御を行う。
【００５５】
ここで、トンネル内に設置された設備機器は、盤制御部４６に対し検知信号やスイッチ信号を送信する火災検知器２５、発信機７６、消火栓スイッチ８０等の検知系の設備機器と、盤制御部４６により制御される赤色表示灯７４，応答ランプ７８等の制御系の設備機器に分けることができる。
【００５６】
このため盤制御部４６は、検知系の設備機器となる火災検知器２５、発信機７６、消火栓スイッチ８０に対しては、設備機器に割り当てられた固有のＩＰアドレスを順次指定したポーリングコマンドを含む呼出パケット信号を繰り返し送信する制御を行っており、検知系の設備機器は自己のＩＰアドレスに一致する呼出パケット信号を受信すると、火災検知やスイッチオン等の自己の状態情報を含む応答パケット信号を返信する。
【００５７】
また、盤制御部４６は、制御系の設備機器となる赤色表示灯７４，応答ランプ７８に対しては、制御を必要とする場合に、固有のＩＰアドレスを指定した制御コマンドを含む制御パケット信号を送信する制御を行い、検知系の設備機器は自己のＩＰアドレスに一致する呼出パケット信号を受信すると、表示灯の点灯や点滅といった制御を行わせる。
【００５８】
なお、盤制御部４６は、制御系の設備機器についても、検知系の設備機器と同様に、ＩＰアドレスを順次指定したポーリングコマンドを含む呼出パケット信号を繰り返し送信し、それぞれの状態を示す応答パケット信号を返信させるようにしても良い。
【００５９】
盤制御部４６による具体的に制御は次のようになる。盤制御部４６は、火災検知器２５からの火災情報を含む応答パケット信号（火災信号）の受信により火災を検知した場合は、警報部５６により火災警報を出力させると共にＩＯ部６０を介し他設備の連動を指示する制御を行う。
【００６０】
また、盤制御部４６は、消火栓装置２４に設けられた発信機７６の操作による火災通報情報を含む応答パケット信号（火災通報信号）の受信により火災を検知した場合は、警報部５６により火災警報を出力させると共にＩＯ部６０を介し他設備の連動を指示する制御を行い、更に、発信機７６が操作された消火栓装置２４に設けられている応答ランプ７８及び赤色表示灯７４のＩＰアドレスを指定した制御コマンドを含む制御パケット信号を送信する制御を行い、応答ランプ７６を点灯させると共に、赤色表示灯７４を点滅させる制御を行う。
【００６１】
一方、盤制御部４６は、伝送部４８に指示し、光送受信部５０を介して常用光回線１４−１及び予備用光回線１４−２に試験光信号を所定周期毎に送信させる制御を行っており、終端装置２２は試験光信号を正常に受信すると試験応答光信号を送り返してくることから、これにより盤制御部４６は常用光回線１４−１及び予備用光回線１４−２が正常に機能していることを確認している。
【００６２】
（設備機器側の機能構成）
図２に示すように、火災検知器２５及び消火栓装置２４が設けられた設備機器側には、光変換器１８が設けられる。光変換器１８は、常用光回線１４−１に対応した光送受信部６２を備え、その電気信号の送受信側を信号変換部として機能するゲートウェイ６６に接続している。
【００６３】
光送受信部６２は防災受信盤１２に設けられた光送受信部５０と同様であり、電気／光変換器（Ｅ／Ｏ変換器）、光／電気変換器（Ｏ／Ｅ変換器）及びＷＤＭフィルタを備え、光回線からの下り波長帯域の光信号を電気信号に変換してゲートウェイ６６に出力し、また、ゲートウェイ６６からの電気信号を上り波長帯域の光信号に変換して光回線に出力する。
【００６４】
ゲートウェイ６６は、光回線側のＩＰプロトコルと設備機器側のＴＣＰプロトコル、例えば所定のＬＡＮプロトコルとなるイーサネット（登録商標）との間のプロトコル変換を行う。ゲートウェイ６６はＯＳＩ基本参照モデルでの７層全ての接続機能を持つが、ゲートウェイ６６をルーターに替えても良い。ルーターは、ＯＳＩ基本参照モデルの１〜３層までの接続機能を持ち、同様に、光回線側のＩＰプロトコルと設備機器側の所定のＬＡＮプロトコルとの間のプロトコル変換が可能となる。
【００６５】
ゲートウェイ６６は設備機器側にＬＡＮ回線６８が接続されており、ＬＡＮ回線６８に対し火災検知器２５が直接接続されると共に、制御系の設備機器となる赤色表示灯７４と応答ランプ７８は制御器７０を介してＬＡＮ回線６８に接続され、また、検知系の設備機器となる発信機７８と消火栓スイッチ８０が別の制御器７２を介してＬＡＮ回線６８に接続されている。
【００６６】
なお、光変換器１８に設けられたゲートウェイ６６と火災検知器２５及び消火栓装置に設けられた制御器７０，７２との間の伝送はＬＡＮプロトコルによる伝送以外に、Ｒ型火災報知設備で使用されている火災伝送プロトコルとしても良い。
【００６７】
火災伝送プロトコルの場合、ゲートウェイ６６の伝送部から火災検知器２５及び制御器７０，７２の伝送部に対する下り信号は電圧モードの伝送であり、伝送路の電圧を所定の電圧範囲で変化させる電圧パルスとして伝送される。これに対し火災検知器２５及び制御器７０，７２の伝送部からのゲートウェイ６６の伝送部に対する上り信号は電流モードの伝送であり、伝送路に伝送データのビット１のタイミングで信号電流を流し、いわゆる電流パルス列として上り信号が伝送される。
【００６８】
図３は図２の消火栓装置側に設けられた制御器の実施形態を機能構成により示したブロック図であり、図３（Ａ）が制御系の設備機器に使用される制御器を示し、図３（Ｂ）が検知系の設備機器に使用される制御器を示している。
【００６９】
図３（Ａ）の制御系の設備機器に使用される制御器７０は、端末制御部８２、ＬＡＮ伝送部８４及び駆動回路部８６を備える。端末制御部８２はＣＰＵ、メモリ、各種の入出力ポート等を備えたコンピュータ回路等を使用する。
【００７０】
ＬＡＮ伝送部８４には固有のＩＰアドレスが設定されており、ＬＡＮ回線６８を介して受信したパケット信号のアドレスと自己アドレスが一致した場合、端末制御部８２はパケット信号に設定されている制御コマンドに基づく制御信号を駆動回路８６に出力し、例えば設備機器として接続されている赤色表示灯７４を点滅させる制御を行う。
【００７１】
なお、駆動回路部８６は通常状態では赤色表示灯７４を点灯状態に維持している。また、図２に示した応答ランプ７８に接続された制御器７０も図３（Ａ）と同様となる。
【００７２】
図３（Ｂ）の検知系に使用すれる制御器７２は、端末制御部８２、ＬＡＮ伝送部８４及び入力回路部８８を備える。ＬＡＮ伝送部８４には固有のＩＰアドレスが設定されている。入力回路部８８には設備機器として例えば発信機７６が接続されており、発信機７６の押釦操作によりスイッチがオンされると、入力回路部８８がスイッチオンを検知して火災通報信号を出力する。
【００７３】
端末制御部８２は入力回路部８８からの火災通報信号を検知すると、ＬＡＮ伝送部８４に指示し、防災受信盤１２のＩＰアドレス及び火災通報情報が設定されたパケット信号を生成して送信させる制御を行う。
【００７４】
なお、発信機７６に使用するスイッチはノンロック型のスイッチとすることが望ましい。発信機７６にノンロック型のスイッチを使用することで、スイッチ操作を行った後の復旧操作が不要となる。
【００７５】
また、図２に示した消火栓スイッチ８０に接続された制御器７２も図３（Ｂ）と同様となる。また、消火栓スイッチ８０は消火栓装置２４に設けられた消火栓弁開閉レバーを開放位置に操作した場合にオンするスイッチであり、防災受信盤１０に対し消火ポンプ設備のポンプ起動コマンドを含むパケット信号が送信される。更に、消火栓スイッチ８０には、消火栓装置２４内に設けられた消防隊が使用する消火ポンプ起動スイッチ（図示せず）が並列接続されている。
【００７６】
また、図２の火災検知器２５は、ＬＡＮ伝送部の機能が内蔵されていることから、制御器を外付けする必要はない。また、図２にあっては、制御器７０，７２を設備機器に外付けしているが、両者を一体化した設備機器としても良い。
【００７７】
また、図３に示した制御器７０，７２の電源は、図１に示したように防災受信盤１２から電源線１６により供給しているが、発信機７６や消火栓スイッチ８０等の通常状態ではオフしている図３（Ｂ）の設備機器の制御器７２については、電池電源を設け、スイッチがオフしている通常状態では電池電源により制御器７２を動作させ、火災時や点検時にスイッチ操作が行われた場合に、防災受信盤１２からの電源に切り替えて制御器７２を動作させるようにし、これにより設備機器側の電力消費を低減させる。
【００７８】
また、図３（Ａ）（Ｂ）の制御器７０，７２のＣＰＵを備えた端末制御部８２について、通常状態ではスリープモードとして消費電力を節減し、表示制御やスイッチ操作が行われた場合にウェイクアップによりスリープモードを解除して通常モードにより動作させるようにしても良い。
【００７９】
（光中継増幅器の構成）
図４は図２に設けられた光中継増幅器の実施形態を機能構成により示したブロック図である。
【００８０】
図４に示すように、光中継増幅器２０は、常用中継増幅部９０、予備用中継増幅部９２、迂回用中継増幅部９４、中継増幅制御部９６及びゲートウェイ９８で構成されている。なお、中継増幅制御部９６及びゲートウェイ９８と常用中継増幅部９０、予備用中継増幅部９２及び予備用中継増幅部９２の間の信号線接続は省略している。
【００８１】
常用中継増幅部９０は常用光回線１４−１の上り側と下り側との間で光信号を中継増幅する。常用中継増幅部９０による下り信号の中継増幅は、ＷＤＭフィルタ１００、光／電気変換器（Ｏ／Ｅ変換器）１０２、アンプ１０４、電気／光変換器（Ｅ／Ｏ変換器）１０６及びＷＤＭフィルタ１０８からなる系統で行われる。
【００８２】
また、常用中継増幅部９０による上り信号の中継増幅は、ＷＤＭフィルタ１０８、光／電気変換器（Ｏ／Ｅ変換器）１１０、アンプ１１２、切替器１１４、電気／光変換器（Ｅ／Ｏ変換器）１１６及びＷＤＭフィルタ１００からなる系統で行われる。
【００８３】
予備用中継増幅部９２は予備用光回線１４−２の上り側と下り側との間で光信号を中継増幅する。予備用中継増幅部９２による下り信号の中継増幅は、ＷＤＭフィルタ１１８、光／電気変換器（Ｏ／Ｅ変換器）１２０、アンプ１２２、切替器１２４、電気／光変換器（Ｅ／Ｏ変換器）１２６及びＷＤＭフィルタ１２８からなる系統で行われる。
【００８４】
また、予備用中継増幅部９２による上り信号の中継増幅は、ＷＤＭフィルタ１２８、光／電気変換器（Ｏ／Ｅ変換器）１３０、アンプ１３２、電気／光変換器（Ｅ／Ｏ変換器）１３４及びＷＤＭフィルタ１１８からなる系統で行われる。
【００８５】
常用中継増幅部９０に設けられた切替器１１４は、アンプ１１２の出力を自己の電気／光変換器１１６または予備用中継増幅部９２の電気／光変換器１３４に選択的に接続させる。
【００８６】
予備用中継増幅部９２に設けられた切替器１２４は、アンプ１２２の出力を自己の電気／光変換器１２６または常用中継増幅部９０の電気／光変換器１０６に選択的に接続させる。
【００８７】
迂回用中継増幅部９４は常用光回線１４−１と予備用光回線１４−２との間で光信号を中継増幅させる。迂回用中継増幅部９０による常用光回線１４−１から予備用光回線１４−２への光信号は、ＷＤＭフィルタ１３６、光／電気変換器（Ｏ／Ｅ変換器）１３８、アンプ１１４、電気／光変換器（Ｅ／Ｏ変換器）１４２及びＷＤＭフィルタ１４４からなる系統で中継増幅される。
【００８８】
また、迂回用中継増幅部９４による予備用光回線１４−２から常用光回線１４−１への光信号は、ＷＤＭフィルタ１４４、光／電気変換器（Ｏ／Ｅ変換器）１４６、アンプ１４８、電気／光変換器（Ｅ／Ｏ変換器）１５０及びＷＤＭフィルタ１３６からなる系統で中継増幅される。
【００８９】
（光中継増幅器の制御）
光中継増幅器２０の中継増幅制御部９６は、例えばプログラムの実行により実現される機能であり、ハードウェアとしてはＣＰＵ、メモリ、各種の入出力ポート等を備えたコンピュータ回路等を使用する。
【００９０】
中継増幅制御部９６は、通常状態では光中継増幅器２０をノーマルモードで動作させ、常用光回線１４−１の断線障害を検出した場合は光中継増幅器２０を迂回モードで動作させ、更に、他の光中継増幅器から断線障害信号を受信した場合は光中継増幅器２０をデュアルパスモードで動作させる。
【００９１】
中継増幅制御部９６は、防災受信盤１２から常用光回線１４−１に下り信号として周期的に送信される試験光信号を例えば光／電気変換器１０２の出力から電気信号として取り込み、試験光信号が所定時間継続して停止した場合または連続して所定回数受信できなかった場合に、上り側の常用光回線１４−１の断線障害を検出する。
【００９２】
中継増幅制御部９６が上り側の常用光回線１４−１の断線障害を検出した場合、ゲートウェイ９８に指示し、上り側に位置する防災受信盤１２又は他の光中継増幅器２０に対し予備用光回線１４−２を介して断線障害信号を送信させ、予備用光回線１４−２により光信号を送受信させる。
【００９３】
また、上り側の常用光回線１４−１の断線障害を検出した中継増幅部９６は、
迂回モードの動作として、迂回用中継増幅部９４を介して上り側の予備用光回線１４−２と上り側の常用光回線１４−１との間で光信号を迂回中継させると共に、常用中継増幅部９０と予備用中継増幅部９２の切替器１１４，１２４のｂ側への切り替えにより、上り側の予備用光回線１４−１と下り側の常用光回線１４−１との間で、光信号を迂回中継させる制御を行う。
【００９４】
また、中継増幅部９６は、下り側に隣接した他の光中継増幅器２０から断線障害信号を受信した場合、デュアルパスモードの動作として、迂回用中継増幅部９４、常用中継増幅部９０及び予備用中継増幅部９２の動作により、上り側の常用光回線１４−１と下り側の常用光回線１４−１との間で光信号を中継増幅させると共に、上り側の常用光回線１４−１と下り側の予備用光回線１４−２との間で光信号を中継増幅させる制御を行う。
【００９５】
（終端装置の機能構成）
図５は図２に設けられた終端装置の実施形態を機能構成により示したブロック図である。図５に示すように、終端装置２２には、終端制御部１５２とゲートウェイ１５４が設けられる。
【００９６】
また、常用光回線１４−１から予備用光回線１４−２へ光信号を送信するため、ＷＤＭフィルタ１５６、光／電気変換器（Ｏ／Ｅ変換器）１５８、アンプ１６０、電気／光変換器（Ｅ／Ｏ変換器）１６２及びＷＤＭフィルタ１６４からなる系統が設けられる。
【００９７】
更に、予備用光回線１４−２から常用光回線１４−１へ光信号を送信するため、ＷＤＭフィルタ１６４、光／電気変換器（Ｏ／Ｅ変換器）１６６、アンプ１６８、電気／光変換器（Ｅ／Ｏ変換器）１７０及びＷＤＭフィルタ１５６からなる系統が設けられる。
【００９８】
終端制御部１５２は、例えばプログラムの実行により実現される機能であり、ハードウェアとしてはＣＰＵ、メモリ、各種の入出力ポート等を備えたコンピュータ回路等を使用する。
【００９９】
終端制御部１５２は通常状態ではノーマルモードで終端装置２２を動作させ、常用光回線１４−１の断線障害を検出した場合は終端装置２２を迂回モードで動作させる。
【０１００】
終端制御部１５２のノーマルモードの動作は、アンプ１６０，１６８の動作を停止させることで、常用光回線１４−１と予備用光回線１４−２による光信号の送受信を独立に行っており、防災受信盤１２から周期的に送信された試験光信号を受信すると、試験応答光信号を送信させる制御を行う。
【０１０１】
終端制御部１５２は、防災受信盤１２から常用光回線１４−１に下り信号として周期的に送信される試験光信号を例えば光／電気変換器１５８の出力から電気信号として取り込み、試験光信号が所定時間継続して停止した場合または連続して所定回数受信できなかった場合に、常用光回線１４−１の断線障害を検出する。
【０１０２】
終端制御部１５２は、常用光回線１４−１の断線障害を検出した場合、ゲートウェイ１５４に指示し、上り側に位置する光中継増幅器２０に対し予備用光回線１４−２を介して断線障害信号を送信させ、予備用光回線１４−２により光信号を送受信させる。
【０１０３】
また、常用光回線１４−１の断線障害を検出した終端制御部１５２は、迂回モードとして、アンプ１６０，１６８を動作状態とし、予備用光回線１４−２と常用光回線１４−１との間で光信号を迂回中継させる制御を行う。
【０１０４】
［トンネル非常用設備の伝送制御］
（通常状態での伝送制御）
図６は通常状態における光信号の送受信を示した説明図であり、光信号の伝送を破線の矢印で示す。図７は図６の通常状態における光中継増幅器のノーマルモードの動作を示したブロック図、図８は図６の通常状態における終端装置の動作を示したブロック図である。
【０１０５】
図６に示すように、通常状態では、防災受信盤１２は常用光回線１４−１に対する光信号の送受信により、常用光回線１４−１に接続された複数の光変換器１８との間で光信号を送受信しており、光中継増幅器２０−１，２０−２は常用光回線１４−１の光信号を双方向に中継増幅しており、更に、終端装置２２は防災受信盤１２から周期的に送信された試験光信号を受信して試験応答光信号を送信している。なお、光中継増幅器２０−１，２０−２は、以下の説明で区別する必要がない場合は、光中継増幅器２０という場合がある。
【０１０６】
図６の通常状態で、光中継増幅器２０は図７に示すノーマルモードで動作している。光中継増幅器２０のノーマルモードの動作は、図７に示すように、常用中継増幅部９０の切替器１１４及び予備用中継増幅器９２の切替器１２４が、ａ側に切り替えられており、迂回用中継増幅部９４は、光／電気変換器１３８，１４６、アンプ１４０，１４８及び電気／光変換器１３８，１５０が停止状態にあり、迂回中継機能が停止している。
【０１０７】
このため光中継増幅器２０のノーマルモードでは、常用中継増幅部９０と予備用中継増幅部９２の動作により、光信号の双方向の中継増幅が個別に行われている。
【０１０８】
また、図６の状態で終端装置２２は、図８に示すように、ノーマルモードの動作となり、アンプ１６０，１６０の動作が停止されており、常用光回線１４−１と予備用光回線１４−２による光信号の送受信を独立に行っており、防災受信盤１２から周期的に送信された試験光信号を受信すると、試験応答光信号を送信させる制御を行う。
【０１０９】
（防災受信盤と光中継増幅器の間の常用光回線で断線障害）
図９は防災受信盤と光中継増幅器の間の常用光回線で断線障害が起きた場合の光信号の送受信を示した説明図、図１０は図９の断線障害に対し迂回中継を行う光中継増幅器の迂回モードの動作を示したブロック図である。
【０１１０】
図９に示すように、防災受信盤１２と光中継増幅器２０−１の間の常用光回線１４−１で断線障害１８０が発生した場合、下り側に位置する光中継増幅器２０−１で断線障害が検出され、防災受信盤１２に予備用光回線１４−２を介して断線障害信号が送信される。
【０１１１】
断線障害信号を受信した防災受信盤１２は、それまでの常用光回線１４−１に対する光信号の送受信に加え、予備用光回線１４−２に対して同じ光信号の送受信を開始する。
【０１１２】
断線障害を検出した光中継増幅器２０−１は、迂回モードで動作する。光中継増幅器２０−１の迂回モードで動作は、図１０に示すように、中継増幅制御部９６の制御により、切替器１１４，１２４がｂ側に切り替えられると共に、常用中継増幅部９０の光／電気変換器１０２、アンプ１０４及び電気／光変換器１１６の動作が破線で示すように停止され、また、予備用中継増幅部９２の電気／光変換器１２６、光／電気変換器１３０及びアンプ１３２の動作が破線示すように停止される。
【０１１３】
このため迂回モードで動作した光中継増幅器２０−１は、図９に示すように、備用光回線１４−２と断線障害１８０が起きている上り側の常用光回線１４−１との間で光信号を送受信させる迂回中継を行う。また、断線障害を検出した光中継増幅器２０は、予備用光回線１４−２の下り側の常用光回線１４−１との間で光信号を送受信させる迂回中継を行う。それ以外の光中継増幅器２０及び終端装置２２はノーマルモードで動作している。
【０１１４】
このため断線障害１８０の発生箇所の上り側の常用光回線１４−１に接続されている光検出器１８は、常用光回線１４−１により防災受信盤１２との間で光信号を送受信し、断線障害１８０の発生箇所の下り側の常用光回線１４−１に接続している光検出器１８は、迂回モードで動作している光中継増幅器２０−１を介して予備用光回線１４−２との間で光信号を送受信し、更に、断線障害を検出した光中継増幅器２０の下り側の常用光回線１４−１に接続している光検出器１８は、迂回モードで動作している光中継増幅器２０−１を介して予備用光回線１４−２との間で光信号を送受信し、断線障害１８０が起きても、防災受信盤１２は常用光回線１４−１に接続している全ての光変換器１８との間で光信号を送受信できる。
【０１１５】
（光中継増幅器の間の常用光回線で断線障害）
図１１は光中継増幅器の間の常用光回線で断線障害が起きた場合の光信号の送受信を示した説明図である。
【０１１６】
図１１に示すように、光中継増幅器２０−１，２０−２の間の常用光回線１４−１で断線障害１８０が起きた場合、断線障害１８０の発生箇所の下り側に位置する光中継増幅器２０−２は断線障害を検出して光中継増幅器２０−１に予備用光回線１４−２を介して断線障害信号を送信すると共に、迂回モードで動作する。
【０１１７】
断線障害１８０の発生箇所の上り側に位置する光中継増幅器２０−１は、断線障害信号の受信によりデュアルパスモードで動作し、上り側の常用光回線１４−１と下り側の常用光回線１４−１の間で光信号を中継増幅すると共に、上り側の常用光回線１４−１と下り側の予備用光回線１４−２の間で光信号を中継増幅する。
【０１１８】
光中継増幅器２０−１のデュアルパスモードの動作は、図４に示した光中継増幅器２０の常用中継増幅部９０、予備用中継増幅部９２及び迂回用中継増幅部９４の全てが動作状態となったモードである。
【０１１９】
断線障害１８０を検出した光中継増幅器２０−２の迂回モードの動作は、図９及び図１０に示したと同じである。
【０１２０】
このため断線障害１８０の発生箇所の上り側の常用光回線１４−１に接続している光検出器１８は、デュアルパスモードで動作している光中継増幅器２０−１を介して防災受信盤１２と光信号を送受信し、断線障害１８０の発生箇所の下り側の常用光回線１４−１に接続している光検出器１８は、迂回モードで動作している光中継増幅器２０−２を介して予備用光回線１４−２との間で光信号を送受信し、更に、断線障害を検出した光中継増幅器２０の下り側の常用光回線１４−１に接続している光検出器１８は、迂回モードで動作している光中継増幅器２０を介して予備用光回線１４−２との間で光信号を送受信し、光中継増幅器２０−１，２０−２の間で断線障害１８０が起きても、防災受信盤１２は常用光回線１４−１に接続している全ての光変換器１８との間で光信号を送受信できる。
【０１２１】
（光中継増幅器と終端装置の間の常用光回線で断線障害）
図１２は光中継増幅器と終端装置の間の常用光回線で断線障害が起きた場合の光信号の送受信を示した説明図である。
【０１２２】
図１２に示すように、光中継増幅器２０−２と終端装置２２の間の常用光回線１４−１で断線障害１８０が起きた場合、終端装置２２は断線障害１８０を検出して断線障害信号を予備用光回線１４−２を介して光中継増幅器２０−２に送信すると共に、迂回モードで動作する。
【０１２３】
断線障害１８０の発生箇所の上り側に位置する光中継増幅器２０−２は断線障害信号の受信によりデュアルパスモードで動作し、上り側の常用光回線１４−１と下り側の常用光回線１４−１の間で光信号を中継増幅すると共に、上り側の常用光回線１４−１と下り側の予備用光回線１４−２の間で光信号を中継増幅する。
【０１２４】
終端装置２２の迂回モードの動作は、図５に示した光／電気変換器１５８，１６６、アンプ１６０，１６８及び電気／光変換器１６２，１７０の全てが動作状態となったモードである。
【０１２５】
このため断線障害１８０の発生箇所の上り側の常用光回線１４−１に接続している光検出器１８は、デュアルパスモードで動作している光中継増幅器２０−２を介して防災受信盤１２との間で光信号を送受信し、断線障害１８０の発生箇所の下り側の常用光回線１４−１に接続している光検出器１８は、迂回モードで動作している終端装置２２を介して予備用光回線１４−２との間で光信号を送受信し、光中継増幅器２０−２と終端装置２２の間で断線障害１８０が起きても、防災受信盤１２は常用光回線１４−１に接続している全ての光変換器１８との間で光信号を送受信できる。
【０１２６】
［トンネル非常用設備の光強度低下障害の対応］
図１に示した光伝送を用いたトンネル非常用設備にあっては、常用光回線１４−１の断線障害以外に、防災受信盤１２や光中継増幅器２０に常用光回線１４−１を接続している光コネクタの接続不良などに起因した光漏れにより、受信される光信号の強度が低下し、光信号の送受信が不能となる光強度低下障害を起こす場合があり、光強度低下障害をリカバリーする制御が必要となる。
【０１２７】
（防災受信盤に隣接した光中継増幅器で光強度低下障害を検出）
図１３は防災受信盤に隣接した光中継増幅器で光強度低下障害が検出された場合の光信号の送受信を示した説明図である。
【０１２８】
図１３に示すように、防災受信盤１２に隣接した光中継増幅器２０−１で常用光回線１２−１から周期的に受信した試験光信号のレベルが所定の閾値以下となった場合、光強度低下障害１９０が検出される。
【０１２９】
光強度低下障害１９０を検出した光中継増幅器２０−１は、防災受信盤１２に予備用光回線１４−２を介して光強度低下障害信号を送信し、光強度低下障害信号を受信した防災受信盤１２は、常用光回線１４−１による光信号の送受信を停止させると共に、予備用光回線１４−２により光信号を送受信させる。
【０１３０】
また、光強度低下障害１９０を検出した光中継増幅器２０−１は、迂回モードの動作状態となり、予備用光回線１４−２と上り側の常用光回線１４−１との間で光信号を送受信させる迂回中継を行い、また、上り側の予備用光回線１４−２と下り側の常用光回線１４−１との間で光信号を送受信させる迂回中継を行う。それ以外の光中継増幅器２０−２及び終端装置２２はノーマルモードで動作している。
【０１３１】
このため光強度低下障害１９０を検出した光中継増幅器２０−１の上り側の常用光回線１４−１に接続している光検出器１８は、迂回モードで動作している光中継増幅器２０−１を介して予備用光回線１４−２との間で光信号を送受信し、また、光強度低下障害を検出した光中継増幅器２０−１の下り側の常用光回線１４−１に接続している光検出器１８は、迂回モードで動作している光中継増幅器２０−１を介して予備用光回線１４−２との間で光信号を送受信し、光強度低下障害が起きても、防災受信盤１２は常用光回線１４−１に接続している全ての光変換器１８との間で光信号を送受信できる。
【０１３２】
また、防災受信盤１２の常用光回線１４−１に対する光信号の送受信は停止されているため、光中継増幅器２０−１の迂回中継による光信号の衝突は起きない。
【０１３３】
（光中継増幅器に隣接した光中継増幅器で光強度低下障害を検出）
図１４は光中継増幅器に隣接した光中継増幅器で光強度低下障害が検出された場合の光信号の送受信を示した説明図ある。
【０１３４】
図１４に示すように、光中継増幅器２０−１の下り側に隣接した光中継増幅器２０−２で常用光回線１４−１による光信号の光強度低下障害１９０が検出された場合、光強度低下障害１９０を検出した光中継増幅器２０−２は、上り側に隣接した光中継増幅器２０−１に予備用光回線１４−２を介して光強度低下障害信号を送信し、光強度低下障害信号を受信した光中継増幅器２は、シングルパスモードで動作し、下り側の常用光回線１４−１との光信号の送受信を停止すると共に、上り側の常用光回線１４−１と下り側の予備用光回線１４−２の間で光信号を送受信させる。
【０１３５】
図１５は図１４における光中継増幅器のシングルパスモードで動作を示したブロック図である。図１５に示すように、光中継増幅器２０のシングルパスモードの動作では、常用中継増幅部９０に設けられた光／電気変換器１０２，１１０、アンプ１０４，１１２及び電気／光変換器１０６，１１６の動作が停止されることで、下り側の常用光回線１４−１に対する光信号の送受信が停止されており、迂回用中継増幅部９４及び予備用中継増幅部９２が動作している。
【０１３６】
再び図１４を参照するに、光強度低下障害１９０を検出した光中継増幅器２０−２は、迂回モードの動作状態となり、予備用光回線１４−２と上り側の常用光回線１４−１との間で光信号を送受信させる迂回中継を行い、また、上り側の予備用光回線１４−２と下り側の常用光回線１４−１との間で光信号を送受信させる迂回中継を行う。終端装置２２はノーマルモードで動作している。
【０１３７】
このため光強度低下障害１９０を検出した光中継増幅器２０−２の上り側の常用光回線１４−１に接続している光検出器１８は、シングルパスモードで動作している光中継増幅器２０−１による上り側の常用光回線１４−１と下り側の予備用光回線１４−２との間の光信号の中継増幅に加え、迂回モードで動作している光中継増幅器２０−２を介して予備用光回線１４−２との間で光信号を送受信し、また、光強度低下障害１９０を検出した光中継増幅器２０−２の下り側の常用光回線１４−１に接続している光検出器１８は、迂回モードで動作している光中継増幅器２０−２を介して予備用光回線１４−２との間で光信号を送受信し、光強度低下障害が起きても、防災受信盤１２は常用光回線１４−１に接続している全ての光変換器１８との間で光信号を送受信できる。
【０１３８】
また、光中継増幅器２０−２の上り側の常用光回線１４−１に対する光信号の送受信は、シングルバスモードで動作している光中継増幅器２０−１により停止されているため、光中継増幅器２０−２の迂回中継による光信号の衝突は起きない。
【０１３９】
（終端装置で光強度低下障害を検出）
図１６は終端装置で光強度低下障害が検出された場合の光信号の送受信を示した説明図ある。
【０１４０】
図１６に示すように、終端装置２２で常用光回線１４−１による光信号の光強度低下障害１９０が検出された場合、光強度低下障害１９０を検出した終端装置２２は、上り側に隣接した光中継増幅器２０−２に予備用光回線１４−２を介して光強度低下障害信号を送信し、光強度低下障害信号を受信した光中継増幅器２０−２は、シングルパスモードで動作し、下り側の常用光回線１４−１との光信号の送受信を停止すると共に、上り側の常用光回線１４−１と下り側の予備用光回線１４−２の間で光信号を送受信させる。
【０１４１】
光強度低下障害１９０を検出した終端装置２２は、迂回モードで動作し、予備用光回線１４−２と常用光回線１４−１との間で光信号を送受信させる迂回中継を行う。
【０１４２】
このため光強度低下障害１９０を検出した終端装置２２の上り側の常用光回線１４−１に接続している光検出器１８は、シングルパスモードで動作している光中継増幅器２０−２により予備用光回線１４−２に中継された光信号が、終端は装置２２の迂回モードの動作により常用光回線１４−１に迂回中継され、終端装置２２で光強度低下障害１９０が検出されても、防災受信盤１２は常用光回線１４−１に接続している全ての光変換器１８との間で光信号を送受信できる。
【０１４３】
また、終端装置２２の上り側の常用光回線１４−１に対する光信号の送受信は、光中継増幅器２０−２のシングルパスモードの動作により停止されているため、終端装置２２の迂回中継による光信号との衝突は起きない。
【０１４４】
［予備用光回線の断線監視］
図１７は常用光回線から予備用光回線に試験信号を巡回させる断線監視において、光中継増幅器の間の予備用光回線が断線した場合の試験信号の迂回送信を示した説明図である。
【０１４５】
（通常状態での断線監視制御）
図１７の実施形態にあっては、通常状態において、試験信号の巡回により常用光回線１４−１と予備用光回線１４−２の断線を監視している。このため図２に示した防災受信盤１０の盤制御部４６は、周期的に断線監視用の試験信号を常用光回線１４−１に送信する。
【０１４６】
また、図４に示した光中継増幅器２０の中継増幅制御部９６は、常用光回線１４−１の上り側から試験信号を受信した場合に常用光回線１４−１の下り側に試験信号を中継させ、予備用光回線１４−２の下り側から試験信号を受信した場合に予備用光回線１４−２の上り側に試験信号を中継する。
【０１４７】
更に、図５に示した終端装置２２の終端制御部１５２は、常用光回線１４−１から試験信号を受信した場合に予備用光回線１４−２に試験信号を送信する。
【０１４８】
また、光中継増幅器２０の中継制御部９６は、試験信号の送信から所定の待ち時間以内に予備用光回線１４−２の上り側から試験信号の受信がない場合に予備用光回線１４−２の断線を判断し、下り側に隣接した他の光中継増幅器２０又は終端装置２２に常用光回線１４−１を経由した試験信号の送信を指示すると共に、防災受信盤１２に予備用光回線１４−１を経由して、隣接した光中継増幅器との間の予備用光回線１４−２の断線又は隣接した終端装置２２との間の予備用光回線１４−２の断線を示す断線障害信号を送信して報知させる制御を行う。
【０１４９】
また、防災受信盤１２の盤制御部４６は、試験信号の送信から所定の待ち時間以内に予備用光回線１４−２の上り側から試験信号の受信がない場合に予備用光回線１４−２の断線を判断し、下り側に隣接した光中継増幅器２０に常用光回線１４−１を経由した試験信号の送信を指示すると共に、防災受信盤１２と隣接した光中継増幅器２０との間の予備用光回線１４−２の断線を報知させる制御を行う。
【０１５０】
ここで、防災受信盤１２で予備用光回線１４−２の断線を判断する待ち時間をＴｗ１及び光中継増幅器２０−１，２０−２で予備用光回線１４−２の断線を判断する待ち時間をＴｗ２，Ｔｗ３とすると、終端装置２２から防災受信盤１２に向けて順次長い時間となるように、
Ｔｗ１＞Ｔｗ２＞Ｔｗ３
の関係が設定されている。
【０１５１】
なお、以下の説明では、防災受信盤１０の盤制御部４６、光中継増幅器２０の中継増幅制御部９６及び終端装置２２の終端制御部１５２の制御機能は、防災受信盤１０、光中継増幅器２０及び終端装置２２の制御機能として説明する。
【０１５２】
（光中継増幅器間での予備用光回線の断線障害）
図１７に示すように、光中継増幅器２０−１と光中継増幅器２０−２の間の予備用光回線１４−２で断線障害２００が発生した場合、断線箇所の上り側に位置する光中継増幅器２０−１は、常用光回線１４−１に対する試験信号の送信から所定の待ち時間Ｔｗ２以内に予備用光回線１４−２の上り側から試験信号の受信がない場合に予備用光回線１４−２の断線を判断し、下り側に隣接した他の光中継増幅器２０−２に常用光回線１４−１を経由した試験信号の送信を指示すると共に、防災受信盤１２に予備用光回線１４−２を経由して、隣接した光中継増幅器２０−２との間の予備用光回線１４−２の断線障害２００を示す断線障害信号を送信して報知させる。
【０１５３】
なお、防災受信盤１２も断線障害２００により予備用光回線１４−２の上り側から試験信号を受信しなくなるが、断線障害を判断する待ち時間Ｔｗ１は、光中継増幅器２０−１が断線障害を判断する待ち時間Ｔｗ２より長いため、試験信号を受信しない時間が待ち時間Ｔｗ１に達する前に、光中継増幅器２０−１の迂回中継による試験信号が受信され、防災受信盤１２で断線障害２００を重複して判断することはない。
【０１５４】
このため図１７の破線の矢印で示すように、予備用光回線１４−２の断線障害２００に対し、光中継増幅器２０−２は予備用光回線１４−２の上り側から受信した試験信号を常用光回線１４−１の上り側に中継し、光中継増幅器２０−１は常用光回線１４−１の下り側から受信した試験信号を予備用光回線１４−２の上り側に中継することで故障個所を迂回させ、常用光回線１４−１から予備用光回線１４−２に試験信号を巡回させることによる断線監視が継続される。
【０１５５】
ここで、光中継増幅器２０−１，２０−２による試験信号の迂回中継は、図４に示した光中継増幅器２０の常用増幅部９０、予備用増幅部９２及び迂回用増幅部９４の全てを動作状態とし、受信信号から試験信号であることを判別して迂回中継させる。
【０１５６】
（光中継増幅器と終端装置の間での予備用光回線の断線障害）
図１８は常用光回線から予備用光回線に試験信号を巡回させる断線監視において、光中継増幅器と終端装置の間の予備用光回線が断線した場合の試験信号の迂回送信を示した説明図である。
【０１５７】
図１８に示すように、光中継増幅器２０−２と終端装置２２の間の予備用光回線１４−２で断線障害２００が発生した場合、断線箇所の上り側に位置する光中継増幅器２０−２は、常用光回線１４−１に対する試験信号の送信から所定の待ち時間Ｔｗ２以内に予備用光回線１４−２の上り側から試験信号の受信がない場合に予備用光回線１４−１の断線を判断し、下り側に隣接した終端装置２２に常用光回線１４−１を経由した試験信号の送信を指示すると共に、防災受信盤１２に予備用光回線１４−２を経由して、隣接した終端装置２２との間の予備用光回線１４−２の断線障害２００を示す断線障害信号を送信して報知させる。
【０１５８】
なお、防災受信盤１２及び光中継増幅２０−１も断線障害２００により予備用光回線１４−２の上り側から試験信号を受信しなくなるが、断線障害を判断するそれぞれ待ち時間Ｔｗ１、Ｔｗ２は、光中継増幅器２０−２が断線障害を判断する待ち時間Ｔｗ３より長いため、試験信号を受信しない時間が待ち時間Ｔｗ１、Ｔｗ２に達する前に、光中継増幅器２０−２の迂回中継による試験信号が受信され、防災受信盤１２及び光中継増幅器２０−１で断線障害２００を重複して判断することはない。
【０１５９】
このため図１８の破線の矢印で示すように、予備用光回線１４−２の断線障害２００に対し、終端装置２２は常用光回線１４−１から受信した試験信号を常用光回線１４−１に送信し、光中継増幅器２０−２は常用光回線１４−１の下り側から受信した試験信号を予備用光回線１４−２の上り側に中継することで断線箇所を迂回させ、常用光回線１４−１から予備用光回線１４−２に試験信号を巡回させることによる断線監視を継続される。
【０１６０】
（光中継増幅器間での予備用光回線の断線障害）
図１９は常用光回線から予備用光回線に試験信号を巡回させる断線監視において、防災受信盤と光中継増幅器の間の予備用光回線が断線した場合の試験信号の迂回送信を示した説明図である。
【０１６１】
図１９に示すように、防災受信盤１２と光中継増幅器２０−１の間の予備用光回線１４−２で断線障害２００が発生した場合、断線箇所の上り側に位置する防災受信盤１２は、常用光回線１４−１に対する試験信号の送信から所定の待ち時間Ｔｗ１以内に予備用光回線１４−２の上り側から試験信号の受信がない場合に予備用光回線１４−２の断線を判断し、下り側に隣接した光中継増幅器２０−１に常用光回線１４−１を経由した試験信号の送信を指示すると共に、隣接した光中継増幅器２０−１との間の予備用光回線１４−２の断線障害２００を判断して報知させる。
【０１６２】
このため図２０の破線の矢印で示すように、予備用光回線１４−２の断線障害２００に対し、光中継増幅器２０−１は予備用光回線１４−２の上り側から受信した試験信号を常用光回線１４−１の上り側に中継することで断線箇所を迂回させ、常用光回線１４−１から予備用光回線１４−２に試験信号を巡回させることによる断線監視が継続される。
【０１６３】
［試験信号の折り返しによる予備用光回線の断線監視］
図２０は光中継増幅器単位及び終端装置単位に常用光回線から予備用光回線に試験信号を巡回させる断線監視において、光中継増幅器の間の予備用光回線が断線した場合の試験信号の迂回送信を示した説明図である。
【０１６４】
図２０の実施形態にあっては、通常状態において、防災受信盤１２は、周期的に断線監視用の試験信号を常用光回線１４−１に送信させ、光中継増幅器２０−１，２０−２及び終端装置２２は、常用光回線１４−１の上り側から試験信号を受信した場合に、予備用光回線１４−２の上り側に試験信号を折り返して中継させることで、光中継増幅器２０−１，２０−２及び終端装置２２の各々の単位に、常用光回線１４−１から予備用光回線１４−２に試験信号を巡回させることで断線を監視している。
【０１６５】
図２０に示すように、光中継増幅器２０−１，２０−２の間の予備用光回線１４−２で断線障害２００が発生した場合、断線箇所の上り側に位置する光中継増幅器２０−１が試験信号を常用光回線１４−１に送信してからの経過時間が待ち時間Ｔｗ２に達しても予備用光回線１４−２の上り側から試験信号が受信されず、これにより下り側の予備用光回線１４−２の断線を判断する。
【０１６６】
光中継増幅器２０−１が予備用光回線１４−２の断線障害を判断した場合の制御は図１７の場合と同様であり、下り側に隣接した終端装置２２に常用光回線１４−１を経由した試験信号の送信を指示すると共に、防災受信盤１２に予備用光回線１４−２を経由して、隣接した終端装置２２との間の予備用光回線１４−２の断線障害２００を示す断線障害信号を送信して報知させる。
【０１６７】
また、図２０において、光中継増幅器２０−２と終端装置２２の間の予備用光回線１４−２の断線障害は光中継増幅器２０−２が判断し、図１８に示したと同じ制御が行われる。
【０１６８】
更に、図２０において、防災受信盤１２と光中継増幅器２０−１の間の予備用光回線１４−２の断線障害は防災受信盤１２が判断し、図１９に示したと同じ制御が行われる。
【０１６９】
［本発明の変形例］
（ＯＬＴとＯＮＵ）
上記の実施形態は、防災受信盤１２及び設備機器側の光変換器１８に、光送受信部５０，６２の機能を設けているが、防災受信盤１２の光変換部５０としては、光通信に使用されているＯＬＴ（Ｏｐｔｉｃａｌ  Ｌｉｎｅ  Ｔｅｒｍｉｎａｌ）を使用し、設備機器側の光送受信部６２としては、光回線終端装置として知られたＯＮＵ（Ｏｐｔｉｃａｌ  Ｎｅｔｗｏｒｋ  Ｕｎｉｔ）を使用しても良い。
【０１７０】
（ゲートウェイ装置）
上記の実施形態では、設備機器側の光変換器１８や終端装置２２にゲートウェイ６６，９２の機能を設けているが、ゲートウェイ６６，９２としては、市販のゲートウェイ装置を使用しても良い。
【０１７１】
（設備機器）
上記の実施形態は、光回線により監視制御される設備機器として、火災検知器と消火栓装置に設けられた赤色表示灯、発信機、応答ランプ及び消火栓スイッチを例にとっているが、これ以外の非常用設備の設備機器についても、同様に適用される。
【０１７２】
（非ＩＰ化）
上記の実施形態は、火災検知器及び消火栓装置に設けられた赤色表示灯、発信機、応答ランプ及び消火栓スイッチ等の設備機器の伝送部にＩＰアドレスを設定することにより、防災受信盤と設備機器との間で光回線を介してＩＰプロトコルに従った伝送制御を行っているが、これに限定されない。例えば、端末機器にＩＰアドレス以外のアドレスを設定し、所定の通信プロトコル、例えばＲ型火災報知設備で使用されている火災伝送プロトコルによる光回線を介した伝送制御としても良い。
【０１７３】
（その他）
また、本発明は、その目的と利点を損なうことのない適宜の変形を含み、更に、上記の実施形態に示した数値による限定は受けない。
【符号の説明】
【０１７４】
１０：トンネル
１２：防災受信盤
１４−１：常用光回線
１４−２：予備用光回線
１５：光分配器
１６：電源線
１８：光変換器
２０，２０−１，２０−２：光中継増幅器
２２：終端装置
２４：消火栓装置
２５：火災検知器
４６：盤制御部
４８：伝送部
５０，６２，９０：光送受信部
６４：切替部
６６，９８，１５４：ゲートウェイ
６８：ＬＡＮ回線
７０，７２：制御器
７４：赤色表示灯
７６：発信機
７８：応答ランプ
８０：消火栓スイッチ
８２：端末制御部
８４：ＬＡＮ伝送部
８６：駆動回路部
８８：入力回路部
９０：常用中継増幅部
９２：予備用中継増幅部
９４：迂回用中継増幅部
９６：中継増幅制御部
１５２：終端制御部
１８０：断線障害
１９０：光強度低下障害
【図１】
2019036180.tif 000003
【図２】
2019036180.tif 000004
【図３】
2019036180.tif 000005
【図４】
2019036180.tif 000006
【図５】
2019036180.tif 000007
【図６】
2019036180.tif 000008
【図７】
2019036180.tif 000009
【図８】
2019036180.tif 000010
【図９】
2019036180.tif 000011
【図１０】
2019036180.tif 000012
【図１１】
2019036180.tif 000013
【図１２】
2019036180.tif 000014
【図１３】
2019036180.tif 000015
【図１４】
2019036180.tif 000016
【図１５】
2019036180.tif 000017
【図１６】
2019036180.tif 000018
【図１７】
2019036180.tif 000019
【図１８】
2019036180.tif 000020
【図１９】
2019036180.tif 000021
【図２０】
2019036180.tif 000022